(57)【要約】【課題】遊技盤の交換作業を容易にする。【解決手段】パチンコ遊技機１は、基枠４に対して前側から遊技盤６を取り付け可能であり、遊技盤６はロック部材３０，３２等を用いて基枠４に固定することができる。遊技盤６を交換する際は、ガラス枠２０を開いて電源を切り、この状態で前側から遊技盤６を着脱する。この際、ロック部材３０，３２等を操作するだけで遊技盤６の固定が解除されるので、前側からの作業だけで遊技盤６の交換を容易に行うことができる。【選択図】    図１
2004229708.tif 000002
【特許請求の範囲】
【請求項１】
外部電源から電力の供給を受けて作動する遊技用ユニットと、
前記遊技用ユニットが着脱可能に装着される装着部と、
前記装着部に設けられ、前記遊技用ユニットへの電力供給路を開閉するスイッチと
を具備したことを特徴とする遊技機。
【発明の詳細な説明】
【０００１】
【発明の属する技術分野】
本発明は、パチンコ遊技機やスロットマシン等の遊技機に関する。
【０００２】
【従来の技術】
この種の遊技機の構成として、例えばパチンコ遊技機は外枠の内側に遊技盤や機構盤、各種基板等の電子機器類を組み込んだ状態で構成されている。またスロットマシンは、筐体の内部に図柄表示装置やメダルセレクタ、払出装置、各種基板等の電子機器類を組み込んだ状態で構成されている。
【０００３】
遊技機には、遊技場内の島設備に設置された状態で外部電源から電力が供給されており、そして遊技機の内部では、各種の構成要素が個々に電力の供給を受けて作動し、構成要素間で信号をやりとりしながら全体が協働して所定の遊技（パチンコ遊技やアレンジボール遊技、スロットマシン遊技等）が実施されるものとなっている。このため遊技機の内部では、各種の構成要素間を接続する電気配線が交錯し、その処理がきわめて煩雑なものとなりがちである。
【０００４】
そこで従来、上述した外部電源から遊技機への電源入力や、遊技機内部での電力の分配、信号の送受等を１箇所に集中させた入出力線用中継ユニットが知られている（例えば、特許文献１参照。）。この入出力線用中継ユニットは、電源コードを通じて外部電源に接続されており、この外部電源と制御基板とを接続する電源回路をオン・オフする電源スイッチを備えている。また、中継ユニットは内部接続端子および外部接続端子を備えており、遊技機外への入出力線を外部接続端子に接続するとともに、遊技機内での入出力線束を内部接続端子に接続することで、遊技機内外の電気配線を１箇所に纏めて整然と処理することができる。
【０００５】
一方で、各種の構成要素は個々に分離可能なユニットとして、遊技機の機種変更や保守・点検の際に交換の対象となる場合がある。この場合、中継ユニットの電源スイッチをオフにすれば、電源コードを外部電源に接続したままであっても各種構成要素への通電が断たれた状態にあるので、制御基板等の電子機器類への調整作業やその交換作業を容易に行うことができる。
【０００６】
【特許文献１】
特開平６−１４２２８４号公報（第２−３頁、図５）
【０００７】
【発明が解決しようとする課題】
上述のように、公知の中継ユニットは内部接続端子および外部接続端子の他に電源スイッチをも備えているため、遊技機の機種変更や保守・点検作業の際に電源スイッチをオフにした状態で、交換対象となる構成要素の配線を確実かつ安全に抜き差し可能とする点で非常に優れている。
【０００８】
しかしながら、たとえそのような電源スイッチが装備されていても、実際に保守・点検作業を行う作業者が電源スイッチのオフ操作を失念してしまうと、通電状態のままで電気配線の抜き差しが行われる結果、電子機器類を損傷するおそれがある。このような状況にあっては、せっかくの中継ユニットの装備が充分に活かされず、優れた技術の利点が満足に発揮されないという問題がある。
【０００９】
そこで本発明は、人為的なミスによる事故を未然に防止することを課題としたものである。
【００１０】
【課題を解決するための手段】
本発明の遊技機は、外部電源から電力の供給を受けて作動する遊技用ユニットと、この遊技用ユニットが着脱可能に装着される装着部とを備えており、装着部への着脱の際に遊技用ユニットへの電力供給路を開閉するスイッチを採用することで上記の課題を解決している（解決手段１）。このスイッチは、遊技用ユニットの着脱の際に必ず開閉されるものとなっているため、例えばその交換時において人為的ミスによるスイッチの切り忘れがなくなる。
【００１１】
上述の遊技用ユニットは、遊技機内にて外部電源から入力される電力の供給を受けて作動するものであり、例えばパチンコ遊技機における着脱交換式の遊技盤やスロットマシン遊技機の図柄表示装置のほか、これらに付属する基板ボックス等が該当する。また外部電源から入力された電力は、例えば上述の中継ユニット等を介して遊技用ユニットに分配される態様であってもよいし、あるいは、電源基板や電源ユニット等により調整された電力が改めて遊技用ユニットに供給される態様であってもよい。
【００１２】
また遊技用ユニットは、遊技機内にて装着部に着脱可能に装着され、この状態で固定手段により固定される。固定手段は、装着部に遊技用ユニットが装着された状態で操作される操作部材を有しており、この操作部材への操作入力に応じて遊技用ユニットの固定またはその解除を行うことができる。そして本発明の遊技機は、遊技用ユニットの固定を解除するべく操作部材が操作されたとき、この操作に連動して遊技用ユニットへの給電を遮断する給電遮断手段を備えたものである（解決手段２）。
【００１３】
すなわち、遊技盤ユニットの交換や保守・点検作業をする際、作業者が操作部材を操作することで遊技用ユニットの固定またはその解除を行うことができ、特にその固定を解除する操作を行ったときは、これに連動して遊技用ユニットへの給電が遮断される。このため、作業者が特段の注意を払わなくても、確実に電力供給が断たれた状態で遊技用ユニットの取り外しを行うことができるので、電源の切り忘れに起因した事故が未然に防止できる。
【００１４】
なお、上述の給電遮断手段は、遊技用ユニットを固定するべく操作部材が操作された状態で遊技用ユニットへの給電を許容することができる（解決手段３）。このため、例えば交換時に新規の遊技用ユニットを装着部に装着し、操作部材の固定操作を行うだけで遊技用ユニットに給電がなされるので、交換作業後の電源の投入忘れをも防止することが出来る。
【００１５】
上述した装着部の具体的態様は、遊技機の種類に応じて異なったものとなる。例えばパチンコ遊技機の場合、装着部はその前後の一方向から遊技用ユニットを嵌め込み可能な基枠から構成される。また固定手段は、操作部材を介して遊技用ユニットを基枠に固定可能である態様が好ましい（解決手段４）。この場合、操作部材がそのまま遊技用ユニットの固定部材としても機能し、例えば遊技盤等の遊技用ユニットを基枠に嵌め込んだ状態で操作部材を操作すると、遊技用ユニットが基枠に対して固定される。また取り外し時は、操作部材を解除操作することで遊技用ユニットの固定が解除されて基枠から取り外し可能な状態となる。このとき、既に操作部材への解除操作に連動して遊技用ユニットへの給電が遮断されているので、作業者が特段の注意を払うことなくそのまま遊技用ユニットを取り外したとしても、電子機器類に損傷が生じることはない。
【００１６】
本発明の遊技機は、その本体の背面に設けられて外部電源からの入力を断続する主電源スイッチをさらに備えていてもよい。この場合、固定手段は遊技機本体の前面から操作部材を操作することで遊技用ユニットを着脱可能に構成される態様が好ましい（解決手段５）。
【００１７】
上述した主電源スイッチが切れていれば、そもそも外部電源からの入力が断たれているため、遊技用ユニットへの通電もなされない。したがって、この間に遊技用ユニットの交換作業を行っても何ら問題はないが、そのためには予め遊技機本体の裏側を開放して主電源スイッチを切っておく必要がある。
【００１８】
このため本発明では、主電源スイッチが遊技機本体の背面に位置する場合、その反対側の前面に位置する操作部材の解除操作をするだけで交換対象の遊技用ユニットへの給電が遮断される構成を採用している。この場合、わざわざ本体の裏側を開放して主電源スイッチを操作しなくても、前側からの操作だけで遊技用ユニットを安全に交換することができるので、通電状態のままあやまって遊技用ユニットが取り外しされる事故を未然に防止することができる。また、前側からの操作だけで遊技用ユニットの交換を迅速に行うことができるため、その作業効率を大幅に向上することができる。
【００１９】
本発明において固定手段は、操作部材により遊技用ユニットを直接固定する態様だけでなく、その他の部材を介して遊技用ユニットを固定する態様をもとり得る。すなわち、装着部がその後方から遊技用ユニットを嵌め込み可能な基枠から構成される場合、固定手段は、遊技用ユニットが基枠に嵌め込まれた状態でその背面に取り付けられる背面ユニットをさらに含んでおり、この背面ユニットを介して遊技用ユニットの固定を行うことができる（解決手段６）。
【００２０】
背面ユニットとしては、例えば機構盤や基板ボックス等が考えられるが、遊技用ユニットが何らかの部材を介して基枠に固定される態様であればその他の態様であってもよい。いずれにしても、遊技用ユニットの取り外しは背面ユニットの固定を解除することで行われるため、背面ユニットの固定を解除する操作に連動して遊技用ユニットへの給電が遮断される構成であれば、同様に通電状態のまま遊技用ユニットが取り外しされる事故が確実に防止される。
【００２１】
【発明の実施の形態】
本発明の好適な実施の形態としては、例えばパチンコ遊技やアレンジボール遊技を提供するパチンコ遊技機を挙げることができる。以下、パチンコ遊技機を例に挙げて本発明の実施形態について説明する。
【００２２】
図１は、第１実施形態のパチンコ遊技機１を示している。このパチンコ遊技機１は外枠２を備え、この外枠２内に基枠４が取り付けられている。また、基枠４には遊技盤ユニットの一例として遊技盤６が取り付けられており、この遊技盤６の盤面構成によりパチンコ遊技機１の機種が特徴付けられている。
【００２３】
遊技盤６は略矩形をなし、その中央に遊技領域８が形成されている。公知のように、遊技領域８はその周りを案内レール１０に囲まれ、そのほぼ中心部にセンター役物１２が設けられている。その他、遊技領域８内には障害釘や風車、各種入賞口等の盤面構成要素が配置されているが、これらについては特に説明を要しないためその図示も省略する。
【００２４】
また、外枠２には前面枠１４が取り付けられており、この前面枠１４は基枠４の前面を覆っている。前面枠１４は、その下部に発射ハンドル１６や下皿１８等を有するほか、ガラス枠２０や下皿ユニット２１がヒンジを介して取り付けられている。図示のように、ガラス枠２０および下皿ユニット２１はそれぞれ一側端（この例では左側端）のヒンジを介して開閉可能となっている。
【００２５】
図１ではガラス枠２０が開いた状態で示されており、それゆえガラス枠２０の背面が露出して示されている。ガラス枠２０はその中央にガラス面２２を有しており、ガラス枠２０を閉じた状態で基枠４が全て覆い隠され、このときガラス面２２内に遊技領域８が覆われるものとなっている。したがってパチンコ遊技機１の前面からは、ガラス面２２を透かして遊技領域８が視認されるものとなる。
【００２６】
第１実施形態のパチンコ遊技機１では、図１中の２点鎖線で示されるように、遊技盤６はパチンコ遊技機１の前側から基枠４に対して着脱可能となっている。このためパチンコ遊技機１の機種変更や、遊技盤６の保守・点検作業を行う際は、ガラス枠２０を手前に開くだけで遊技盤６の取り外し・取り付けを行うことができる。
【００２７】
図２は、基枠４への遊技盤６の取り付け態様を具体的に示しており、この図２ではガラス枠２０が省略されている。基枠４には遊技盤支持部材２６が取り付けられており、この遊技盤支持部材２６は基枠４の一側縁部（図２の例では左側縁部）に配置されている。遊技盤支持部材２６は基枠４の左側縁部に沿って上下方向に延び、その上下端はいずれもヒンジピン２８を介して基枠４に連結されている。これらヒンジピン２８は遊技盤支持部材２６の上下端からそれぞれ突出し、基枠４に対して遊技盤支持部材２６を水平方向に回動可能としている。
【００２８】
なお、遊技盤支持部材２６はその長手方向（この例では上下方向）でみて溝形状の断面を有し、その内側に遊技盤６の一側縁部（この例では左側縁部）を受け入れ可能となっている。また遊技盤支持部材２６は、その上下端に支持プレート２６ａ，２６ｂを有しており、これら支持プレート２６ａ，２６ｂ間に遊技盤６を挟み込んで遊技盤６を支持し、その重量を受け持ったままの状態で基枠４に対して回動することができる。
【００２９】
基枠４はその内側に開口４ａを有しており、この開口４ａは遊技盤６の外形に合わせた形状をなしている。このため図２に示されるように、遊技盤６は開口４ａにぴったり嵌り込んだ状態で基枠４に取り付けられている。開口４ａの下縁部には２つのロック部材３０，３２が設けられており、これらロック部材３０，３２は基枠４の幅方向に間隔をおいて配置されている。また、これらロック部材３０，３２は基枠４に対し、いずれも垂直面内にて回動自在に支持されている。
【００３０】
このうち一方（この例では左方）のロック部材３０は、例えば２本羽根のプロペラ形状をなし、図示のように縦長となる姿勢で遊技盤６を係止することができる。より詳しくは、遊技盤６の下端部に係止片３４が設けられており、この係止片３４は遊技盤６から手前側に突出して形成されている。一方、図１に示されるように、ロック部材３０の両端にはそれぞれ係止片３４に対応したかぎ爪３０ａが形成されており、ロック部材３０はそのかぎ爪３０ａを係止片３４の上端に引っ掛けることで遊技盤６を係止することができる。なお、もう一方のロック部材３２も同様に図示の位置で遊技盤６を係止しているが、ここではその具体的な説明を省略する。
【００３１】
また、開口４ａの上縁部にも別のロック部材３６が設けられており、このロック部材３６もまた、基枠４に対して垂直面内で回動自在に支持されている。一方、遊技盤６の右上縁部には逆三角形状の凹部３８が形成されており、この凹部３８はその上方からロック部材３６を受け入れることができる。なお、凹部３８は遊技盤６の装飾部材４０に形成されており、この装飾部材４０は遊技盤６の右側縁部に取り付けられて遊技領域６の周囲を区画している。
【００３２】
図３は、上述のロック部材３６をより詳しく示している。図３中の実線で示されるように、ロック部材３６は下方へ回動された状態で凹部３８に嵌り込む。この状態でロック部材３６は遊技盤６を基枠４に固定し、遊技盤６が前面側へ抜け出るのを防止している。一方、図３中の２点鎖線で示されるように、ロック部材３６が上方へ回動された状態では遊技盤６の固定が解除され、このとき遊技盤６が基枠４から抜き出し可能となる。
【００３３】
ここで図３に示されるように、ロック部材３６への回動操作は遊技盤６への電力供給を断続（ＯＮまたはＯＦＦ）する操作をも兼ねている。具体的には、遊技盤６の固定を解除するためにロック部材３６を操作、つまり上方（図中に「ＯＦＦ」と表示されている方向）へ回動させると、この回動操作に連動して遊技盤６への給電が遮断されるものとなっている。これとは逆に、遊技盤６を固定するためにロック部材３６を下方（図中に「ＯＮ」と表示されている方向）へ回動させると、この回動操作に連動して遊技盤６（メイン制御基板およびサブ制御基板）に給電される。
【００３４】
なお、遊技盤６にはメイン制御基板やサブ制御基板等（図示していない）の電子機器類が設けられており、これら制御基板は遊技盤６への電力の供給により作動することができる。このうちメイン制御基板は、パチンコ遊技機１による遊技の進行に伴い、賞球指令信号の出力や各種役物の動作制御、当り判定、確率設定、入賞検出、大当り制御（大入賞口の開閉）、演出指示処理等を行うための各種の制御プログラムを実行する。またサブ制御基板は、遊技の進行に伴う効果音や音声の出力、発光装飾等の制御を行うプログラムを実行する。
【００３５】
図４は、パチンコ遊技機１の背面を示している。第１実施形態の場合、遊技盤６と基枠４との間、あるいは遊技盤６と遊技盤支持部材２６との間にそれぞれコネクタ４２，４４が設けられており、遊技盤支持部材２６に遊技盤６を装着した状態でこれを基枠４に嵌め込むと、遊技盤６の背面側にて互いのコネクタ４２，４４が接続され、これによりメイン制御基板およびサブ制御基板に対する配線が接続されるものとなっている。
【００３６】
この場合、遊技盤６を基枠４から抜き出すときにコネクタ４２，４４が一緒に外れてしまうので、その前にメイン制御基板やサブ制御基板への通電を止めておく必要がある。このため、上述したロック部材３６の操作に伴い遊技盤６の固定が解除されたとき、これに連動して遊技盤６への給電が遮断されるようにすることで、通電状態のままコネクタ４２，４４が外れるのを防止することができる。
【００３７】
図４に示されるように、基枠４の背面にはその上部に電源ボックス４６が取り付けられており、この電源ボックス４６には例えば電力供給回路（図示しない）が内蔵されている。なお電力供給回路は、遊技盤６（メイン制御基板およびサブ制御基板）に供給するための電力を生成する機能を有するものであってもよいし、あるいは、単に遊技盤６に分配される電力を中継するものであってもよい。
【００３８】
また、電源ボックス４６にはスイッチ４８が内蔵されており、このスイッチ４８は上述の電力供給路を開閉することで少なくとも遊技盤６への給電を遮断したり、あるいは、遊技盤６への給電を許容したりする機能を有している。
【００３９】
図５および図６は、上述したロック部材３６とスイッチ４８との関係を示している。ロック部材３６はその基端部に回動ベース３６ａを有しており、この回動ベース３６ａはさらに回動軸３６ｂを有している。回動軸３６ｂは基枠４をその前側から厚み方向に貫通して延び、そして背面側に突出している。また、回動軸３６ｂの突出端部には突起３６ｃが形成されており、この突起３６ｃは回動軸３６ｂの径方向（図６でみて右方向）に突き出ている。ロック部材３６は回動軸３６ｂを中心として回動し、スイッチ４８をオンまたはオフすることができる。
【００４０】
具体的には、スイッチ４８は下向きのプッシュロッド４８ａを有しており、このプッシュロッド４８ａの先端は上述の突起３６ｃに当接した状態にある。スイッチ４８は、プッシュロッド４８ａが押し込まれる（図６では押し上げられる）ことで接続された状態、つまりオンになり、逆にプッシュロッド４８ａの押し上げが解除されるとオフになる。このため、図３に示されるようにロック部材３６が下方へ回動された状態にあるときは、その突起３６ｃを介してプッシュロッド４８ａが押し上げられ、スイッチ４８がオンの状態になる。これに対し、ロック部材３６が上方へ回動されると、突起３６ｃがプッシュロッド４８ａから離れる方向へ動くので、プッシュロッド４８ａの押し上げが解除されてスイッチ４８がオフになる。
【００４１】
このように、ロック部材３６の回動操作に連動してスイッチ４８がオンまたはオフされるので、遊技盤６の固定を解除する方向にロック部材３６を操作するだけで遊技盤６への給電を遮断することができる。このため、遊技盤６の交換作業や保守・点検作業を行う際、作業者があやまって通電状態のまま遊技盤６を取り外してしまうことがなく、メイン制御基板やサブ制御基板の損傷が確実に防止される。
【００４２】
また一方で、遊技盤６の取り付け時にはロック部材３６を固定方向に操作するだけで遊技盤６に電力が供給されるため、作業者がわざわざ基枠４の裏側を開放してスイッチ４８をオン操作する必要がない。なお、スイッチ４８は少なくとも遊技盤６への給電をオン・オフするものであればよいが、スイッチ４８はパチンコ遊技機１全体の電源をオン・オフするものであってもよい。
【００４３】
あるいは、電源ボックス４６に主電源スイッチ（図示していない）が設けられており、この主電源スイッチにより外部電源からの入力が断続、つまりオン・オフされる場合であっても、同様に作業者がわざわざ基枠４の裏側を開放して主電源スイッチを操作することなく、遊技盤６の取り付け・取り外しを行うことができる。
【００４４】
上述のように、第１実施形態のパチンコ遊技機１ではガラス枠２０を開くだけで前側から遊技盤６の取り付け・取り外しに必要な作業を全て行うことができるので、遊技盤６の交換作業や保守・点検作業をきわめて効率的に行うことができる。
【００４５】
また上述の第１実施形態では、図３に示されているようにロック部材３６の回動方向を示す矢印とともに「ＯＮ」および「ＯＦＦ」の文字表記を基枠４の前面に付することで、作業者がロック部材３６を操作する際に、自らの操作によって電源のオン・オフがなされたことを容易に確認することができるという利点がある。
【００４６】
図７から図９は、パチンコ遊技機１のその他の実施形態を示している。以下の説明では便宜上、図７に示されるものを第２実施形態、図８，９に示されるものを第３実施形態としてそれぞれ呼称するものとする。
【００４７】
先ず図７に示されるように、第２実施形態のパチンコ遊技機１では、基枠４の背面にロック部材３６，５０が設けられている。この場合、遊技盤６は基枠４に対してその後方から嵌め込まれ、そして、ロック部材３６，５０を回動操作することで固定される。
【００４８】
この第２実施形態においても、例えばロック部材３６の回動操作にスイッチ４８を連動させることができる。この場合、遊技盤６の固定を解除する方向にロック部材３６を操作すれば、これに連動して遊技盤６（例えば、メイン制御基板およびサブ制御基板）への給電が遮断されるし、逆に遊技盤６を固定する方向にロック部材３６を操作すると、遊技盤６への給電が可能となる。なお、特に図示はされていないが、スイッチ４８は第１実施形態と同様に基枠４の背面に取り付けられていてもよいし、あるいは、基枠４の前面に取り付けられていてもよい。また同様に、スイッチ４８は少なくとも遊技盤６への電力供給路を開閉できるものであればよい。
【００４９】
次に図８，９に示されるように、第３実施形態のパチンコ遊技機１はその背面に機構盤５２を有しており、この機構盤５２には、例えば球タンク５４やタンクレール５６、裏セット５８等が取り付けられている。機構盤５２は、遊技盤６が基枠４に嵌め込まれた状態でその背面に取り付けられ、ロック部材５０を回動操作することで基枠４に固定されている。
【００５０】
また、機構盤５２には分電基板６０が設けられており、この分電基板６０は図示しない電源コードを介して外部電源に接続されている。第３実施形態の場合、分電基板６０に主電源スイッチ６２が設けられており、この主電源スイッチ６２を操作することで外部電源からの入力を断続、つまり、オン・オフすることができる。
【００５１】
一方、外部電源からの入力は分電基板６０から電源基板６４およびインタフェース基板６６に分配される。電源基板６４では、パチンコ遊技機１の作動に必要な電力（例えばＤＣ５Ｖ，１２Ｖ，３４Ｖ）が生成され、この電力が賞球基板６８や発射制御基板７０、遊技盤６等へ供給されている。なお、インタフェース基板６６は図示しないカードユニットとの通信を行うためのものであり、パチンコ遊技機１に付属してカードユニットが設置されている場合に用いられる。
【００５２】
第３実施形態の場合、ロック部材５０は直接的に遊技盤６を固定するものではなく、機構盤５２を介して遊技盤６の固定を行うものとなっている。この場合でも、適宜ロック部材５０の回動操作に上述のスイッチ４８（図８，９には示されていない）を連動させることにより、遊技盤６を取り外す際に機構盤５２の固定を解除する方向にロック部材５０を操作すると、これに連動して遊技盤６（例えば、メイン制御基板およびサブ制御基板）への給電が遮断される。これとは逆に、遊技盤６を基枠４に嵌め込んだ状態でその背面に機構盤５２を取り付け、そして機構盤５２を固定する方向にロック部材５０を操作すると、遊技盤６への給電が可能となる。
【００５３】
上述した第３実施形態においても、遊技盤６を取り外す際に主電源スイッチ６２をわざわざ操作しなくても、ロック部材５０を操作するだけで遊技盤６への給電が遮断されるため、主電源スイッチ６２の切り忘れによる制御基板類の損傷事故を未然に防止することができる。
【００５４】
上述した各実施形態では、遊技用ユニットに該当するものの一例として遊技盤６を挙げているが、遊技用ユニットは個別の制御基板ボックスであってもよい。例えば、各制御基板ボックスが固定部材を介して遊技盤６や基枠４、機構盤５２等に固定されている場合、その固定を解除する方向に固定部材を操作すると、これに連動して制御基板ボックスへの給電が遮断されるように構成することもできる。
【００５５】
さらに、各実施形態ではロック部材３６，５０への操作に連動して機械的にスイッチ４８がオン・オフされるものとなっているが、例えばロック部材３６，５０への操作をセンサ等により検出し、その検出結果に基づいて電気的に遊技盤６への給電を遮断する処理を行うこともできる。
【００５６】
また、各実施形態ではパチンコ遊技機１を例に挙げているが、本発明の遊技機はスロットマシン遊技機であってもよい。この場合、遊技用ユニットとして例えば図柄表示装置（リールユニット、ドラムユニット、ベルトユニット等）を挙げることができ、図柄表示装置の固定を解除する方向に操作部材（上述のロック部材に類似したもの）を操作すると、これに連動して図柄表示装置への給電が遮断されるように構成することができる。
【００５７】
その他、各実施形態として挙げた遊技盤６や基枠４、ロック部材３６，５０等の具体的な形状や構造はいずれも好ましい例示であり、特にこれらに制約されることはない。また、パチンコ遊技機１を構成する各種の要素はあくまで一例であり、これらは本発明を適用するべき遊技機の態様に応じて適宜変更可能であることはいうまでもない。
【００５８】
【発明の効果】
本発明の遊技機は、人為的ミスによる遊技用ユニットの損傷事故を未然に防止し、その交換や保守・点検を行う作業者の注意負担を大幅に軽減する。
【００５９】
また、遊技機の前側からの作業だけで遊技用ユニットの着脱を行う態様であれば、きわめて合理的に作業の効率化を図ることができる。
【図面の簡単な説明】
【図１】第１実施形態のパチンコ遊技機の斜視図である。
【図２】遊技盤および基枠の正面図である。
【図３】図２中、右上隅の部分を拡大して示した図である。
【図４】図１のパチンコ遊技機の背面図である。
【図５】図３および図６中、Ｖ−Ｖ線に沿う断面図である。
【図６】図３の部分の背面図である。
【図７】第２実施形態のパチンコ遊技機の背面図である。
【図８】第３実施形態のパチンコ遊技機の背面図である。
【図９】図８のパチンコ遊技機の斜視図である。
【符号の説明】
１    パチンコ遊技機
４    基枠（装着部）
６    遊技盤
３６    ロック部材（操作部材、固定手段）
４６    電源ボックス（給電遮断手段）
４８    スイッチ（給電遮断手段）
５２    機構盤（背面ユニット）
６２    主電源スイッチ
【図１】
2004229708.tif 000003
【図２】
2004229708.tif 000004
【図３】
2004229708.tif 000005
【図４】
2004229708.tif 000006
【図５】
2004229708.tif 000007
【図６】
2004229708.tif 000008
【図７】
2004229708.tif 000009
【図８】
2004229708.tif 000010
【図９】
2004229708.tif 000011